(57)【要約】【課題】折畳み型に限定されることなく、カメラ撮影を行っていることを周囲に通知し、盗撮等を防止可能な携帯電話機を提供する。【解決手段】ユーザが操作部１７からカメラ撮影指示を行った場合、そのカメラ撮影指示は操作部１７から制御部１５に通知され、に制御部１５からカメラ部１８に通知されてカメラ部１８による撮影が行われる。カメラ部１８によって撮影されたことは制御部１５から微弱無線部１４に通知され、微弱無線部１４からアンテナ１２を通して撮影信号が発信される。微弱無線部１４では他の携帯電話機から発信された撮影信号をアンテナ１２を通して受信すると、その情報が制御部１５に送られる。制御部１５は撮影信号が通知されると、バイブ部１６及び表示部２０を駆動し、バイブ部１６にてバイブ動作、表示部２０にて他の携帯電話機が撮影していることの表示を行わせる。【選択図】      図１
2004363838.tif 000002
【特許請求の範囲】
【請求項１】
撮像手段を含む携帯電話機であって、前記撮像手段による画像撮影時にその旨を示す撮影信号を微弱電波にて発信する発信手段と、他端末から発信された前記撮影信号の受信時に他端末が撮影を行っていることを外部に通知する通知手段とを有することを特徴とする携帯電話機。
【請求項２】
前記通知手段は、少なくともバイブ動作及び前記撮影が行われたことの表示によって前記他端末が撮影を行っていることを外部に通知することを特徴とする請求項１記載の携帯電話機。
【請求項３】
撮像手段を含む携帯電話機によって行われる会場内での盗撮を警告する盗撮防止システムであって、
前記撮像手段による画像撮影時にその旨を示す撮影信号を微弱電波にて発信する発信手段を前記携帯電話機に有し、
前記携帯電話機から発信された前記撮影信号を検出する手段と、その撮影信号の検出時に盗撮であることを警告するための通知を前記携帯電話機に送信する手段とを前記会場内のサーバに有することを特徴とする盗撮防止システム。
【請求項４】
前記撮影信号は、前記携帯電話機の携帯電話番号を含むことを特徴とする請求項３記載の盗撮防止システム。
【請求項５】
前記撮影信号の検出時に当該撮影信号に付加された携帯電話番号を基に前記警告を行うことを特徴とする請求項４記載の盗撮防止システム。
【請求項６】
撮像手段を含む携帯電話機の撮影信号送受信方法であって、前記携帯電話機側に、前記撮像手段による画像撮影時にその旨を示す撮影信号を微弱電波にて発信するステップと、他端末から発信された前記撮影信号の受信時に他端末が撮影を行っていることを外部に通知するステップとを有することを特徴とする撮影信号送受信方法。
【請求項７】
前記通知手段は、少なくともバイブ動作及び前記撮影が行われたことの表示によって前記他端末が撮影を行っていることを外部に通知することを特徴とする請求項６記載の撮影信号送受信方法。
【請求項８】
撮像手段を含む携帯電話機によって行われる会場内での盗撮を警告する盗撮防止システムの撮影信号送受信方法であって、
前記会場内に配設されたサーバ側に、前記携帯電話機から微弱電波にて発信されかつ画像撮影時にその旨を示す撮影信号を検出するステップと、その撮影信号の検出時に盗撮であることを警告するための通知を前記携帯電話機に送信するステップとを有することを特徴とする撮影信号送受信方法。
【請求項９】
前記撮影信号は、前記携帯電話機の携帯電話番号を含むことを特徴とする請求項８記載の撮影信号送受信方法。
【請求項１０】
前記撮影信号の検出時に当該撮影信号に付加された携帯電話番号を基に前記警告を行うことを特徴とする請求項９記載の撮影信号送受信方法。
【請求項１１】
撮像手段を含む携帯電話機の撮影信号送受信方法のプログラムであって、前記携帯電話機側のコンピュータに、前記撮像手段による画像撮影時にその旨を示す撮影信号を微弱電波にて発信する処理と、他端末から発信された前記撮影信号の受信時に他端末が撮影を行っていることを外部に通知する処理とを実行させるためのプログラム。
【請求項１２】
撮像手段を含む携帯電話機によって行われる会場内での盗撮を警告する盗撮防止システムの撮影信号送受信方法のプログラムであって、前記会場内に配設されたサーバ側のコンピュータに、前記携帯電話機から微弱電波にて発信されかつ画像撮影時にその旨を示す撮影信号を検出する処理と、その撮影信号の検出時に盗撮であることを警告するための通知を前記携帯電話機に送信する処理とを実行させるためのプログラム。
【発明の詳細な説明】
【０００１】
【発明の属する技術分野】
本発明は携帯電話機、盗撮防止システム及びそれらに用いる撮影信号送受信方法並びにそのプログラムに関し、特にカメラ付き携帯電話機における撮影の確認方法に関する。
【０００２】
【従来の技術】
近年、携帯電話機においては、その普及にともなって、着信音等として音楽を流す着信メロディ、電子メールの送受信機能、インタネットの閲覧機能等の高機能化が図られており、最近では動画や静止画等の撮影機能を通常機能として備えている。
【０００３】
この撮影機能においては、いつ撮影されているのかが不明なため、各種撮影確認音を流すようになっており、この撮影確認音としては通常の銀塩カメラのシャッタ音と似た音や音声による撮影合図等が流されている。上記の携帯電話機では、この撮影確認音を流すことによって、カメラで撮影したことを周囲の人に知らせている。
【０００４】
一方、小型軽量の携帯電話機に撮影機能を持たせることで、いわゆる盗撮等に用いられることが懸念されるが、この盗撮等を防止または抑止する方法としては、折畳み型の携帯電話機において、筐体が閉じた状態または半開きの状態の時に撮影を抑止し、筐体が開いた状態で撮影する時にもサブディスプレイを発光させて盗撮等を防止または抑止する方法が提案されている（例えば、特許文献１参照）。
【０００５】
【特許文献１】
特開２００２−３０５５６６号公報（第７，８頁、図３）
【０００６】
【発明が解決しようとする課題】
上述した従来の携帯電話機では、撮影確認音を流すことによって、カメラで撮影したことを周囲の人に知らせているが、雑踏の中等ではその音を認識することができない場合がある。
【０００７】
また、撮影確認音の音量を大きくすると、閑静な場所では逆に大音量となり、周囲に迷惑を与えてしまう。音量調整可能にすると、雑踏内で小音量にて撮影が行われ、盗撮が可能となってしまうという問題がある。上記の特許文献１に記載の技術では、その防止方法が折畳み型に限定されてしまう。
【０００８】
そこで、本発明の目的は上記の問題点を解消し、折畳み型に限定されることなく、カメラ撮影を行っていることを周囲に通知することができ、盗撮等を防止することができる携帯電話機、盗撮防止システム及びそれらに用いる撮影信号送受信方法並びにそのプログラムを提供することにある。
【０００９】
【課題を解決するための手段】
本発明による携帯電話機は、撮像手段を含む携帯電話機であって、前記撮像手段による画像撮影時にその旨を示す撮影信号を微弱電波にて発信する発信手段と、他端末から発信された前記撮影信号の受信時に他端末が撮影を行っていることを外部に通知する通知手段とを備えている。
【００１０】
本発明による盗撮防止システムは、撮像手段を含む携帯電話機によって行われる会場内での盗撮を警告する盗撮防止システムであって、
前記撮像手段による画像撮影時にその旨を示す撮影信号を微弱電波にて発信する発信手段を前記携帯電話機に備え、
前記携帯電話機から発信された前記撮影信号を検出する手段と、その撮影信号の検出時に盗撮であることを警告するための通知を前記携帯電話機に送信する手段とを前記会場内のサーバに備えている。
【００１１】
本発明による撮影信号送受信方法は、撮像手段を含む携帯電話機の撮影信号送受信方法であって、前記携帯電話機側に、前記撮像手段による画像撮影時にその旨を示す撮影信号を微弱電波にて発信するステップと、他端末から発信された前記撮影信号の受信時に他端末が撮影を行っていることを外部に通知するステップとを備えている。
【００１２】
本発明による他の撮影信号送受信方法は、撮像手段を含む携帯電話機によって行われる会場内での盗撮を警告する盗撮防止システムの撮影信号送受信方法であって、
前記会場内に配設されたサーバ側に、前記携帯電話機から微弱電波にて発信されかつ画像撮影時にその旨を示す撮影信号を検出するステップと、その撮影信号の検出時に盗撮であることを警告するための通知を前記携帯電話機に送信するステップとを備えている。
【００１３】
本発明による撮影信号送受信方法のプログラムは、撮像手段を含む携帯電話機の撮影信号送受信方法のプログラムであって、前記携帯電話機側のコンピュータに、前記撮像手段による画像撮影時にその旨を示す撮影信号を微弱電波にて発信する処理と、他端末から発信された前記撮影信号の受信時に他端末が撮影を行っていることを外部に通知する処理とを実行させている。
【００１４】
本発明による他の撮影信号送受信方法のプログラムは、撮像手段を含む携帯電話機によって行われる会場内での盗撮を警告する盗撮防止システムの撮影信号送受信方法のプログラムであって、前記会場内に配設されたサーバ側のコンピュータに、前記携帯電話機から微弱電波にて発信されかつ画像撮影時にその旨を示す撮影信号を検出する処理と、その撮影信号の検出時に盗撮であることを警告するための通知を前記携帯電話機に送信する処理とを実行させている。
【００１５】
すなわち、本発明の携帯電話機は、自端末に備えているカメラにて撮影を行う際に、撮影を行っていることを微弱電波で周囲の他の携帯電話機に通知するようにしている。
【００１６】
より具体的に説明すると、本発明の携帯電話機では、カメラにて撮影した時にその携帯電話機から微弱電波にて撮影したことを知らせる信号を発信する。他の携帯電話機ではその電波を検出すると、バイブ動作や撮影のあったことを示す表示が行われるので、他の携帯電話機を持つ利用者に、近くでカメラ撮影されていることを知らせることができる。これによって、本発明の携帯電話機では、盗撮することが困難となる。
【００１７】
【発明の実施の形態】
次に、本発明の実施例について図面を参照して説明する。図１は本発明の一実施例による携帯電話機の構成を示すブロック図であり、図２は本発明の一実施例による携帯電話機の外観図である。
【００１８】
これら図１及び図２において、携帯電話機１は通常のアンテナ１１と、微弱電波用のアンテナ１２と、通常の無線部１３と、微弱電波用の無線部１４と、制御部１５と、バイブ部１６と、操作部１７と、カメラ部１８と、メモリ部１９と、表示部２０と、記録媒体２１とから構成され、それらを筐体１０内に収納している。記録媒体２１には制御部１５にて実行されるプログラム（コンピュータにて実行可能なプログラム）が格納されている。
【００１９】
携帯電話機１には、通常の通話や通信に用いる無線部１３が存在しており、無線部１３にて通信したデータは制御部１５に通知され、通常の電話機機能を行う。ユーザが操作部１７からカメラ撮影指示を行った場合、そのカメラ撮影指示は操作部１７から制御部１５に通知され、さらに制御部１５からカメラ部１８に通知されるので、カメラ部１８による撮影が行われる。
【００２０】
撮影した画像データはカメラ部１８からメモリ部１９に送られて格納される。また、カメラ部１８によって撮影したことは制御部１５から微弱無線部１４にも通知され、微弱無線部１４からアンテナ１２を通して撮影信号が発信される。
【００２１】
一方、微弱無線部１４では図示せぬ他の携帯電話機から発信された撮影信号をアンテナ１２を通して受信する機能を有しており、撮影信号を受信すると、その情報を制御部１５に通知する。制御部１５では微弱無線部１４から通知された撮影信号によってバイブ部１６及び表示部２０を駆動し、バイブ部１６にてバイブ動作、表示部２０にて他の携帯電話機が撮影していることの表示が行われる。
【００２２】
図３は図１の制御部１５の動作を示すフローチャートである。これら図１〜図３を参照して制御部１５の動作、つまり携帯電話機１による盗撮防止動作について説明する。尚、図３に示す処理は制御部１５が記録媒体２１のプログラムを実行することで実現される。
【００２３】
携帯電話機１の体積は、年々、小さくなってきており、携帯電話機１に備えられたカメラ部１８が盗撮に使用されることが報じられている。本実施例では、カメラ部１８による撮影時に以下のような制御を行って、カメラ部１８による盗撮の抑制を図っている。
【００２４】
携帯電話機１の操作部１７から撮影を行う指示が入力されると（図３ステップＳ１）、その指示は制御部１５に通知され、カメラ部１８にて撮影が行われる（図３ステップＳ２）。
【００２５】
これと同時に、制御部１５は微弱無線部１４に撮影情報を通知し、微弱無線部１４からアンテナ１２を通して微弱電波にて撮影信号を発信する（図３ステップＳ３）。
【００２６】
一方、携帯電話機１ではカメラ部による撮影を行った携帯電話機から発信された撮影信号を微弱無線部１４にて受信すると（図３ステップＳ４）、制御部１５は近くでカメラ撮影が行われていると判断し、バイブ部１６及び表示部２０を駆動し、バイブ動作や表示、音鳴動を行うことによって近くで撮影が行われていることをユーザに通知する（図３ステップＳ５）。
【００２７】
これによって、本実施例では、携帯電話機１を利用すると、混雑した電車内で盗撮を行うと、上記のように、微弱無線部１４から微弱電波にて撮影信号が発信されるので、微弱無線部１４を備えた携帯電話機を所持している全ての人に撮影したことが通知されるので、盗撮の抑制効果が得られる。
【００２８】
また、本実施例では、微弱電波を用いることで、何キロも離れた携帯電話機に通知するのではなく、カメラ撮影している周辺の人の携帯電話機だけに通知されるので、撮影者を特定しやすくなるという利点もある。
【００２９】
さらに、本実施例では、携帯電話機１のカメラ部１８を用いた通常の撮影において、撮影していることが周囲からも容易に認識することができるため、撮影信号を受信したとしてもすぐに通常の使用であることがわかり、問題にはならないという利点もある。
【００３０】
図４は本発明の他の実施例による携帯電話機に対する盗撮の警告動作を示すシーケンスチャートである。本発明の他の実施例による携帯電話機の構成は上記の図１及び図２に示す本発明の一実施例による携帯電話機１と同様の構成となっており、上記の図３に示す携帯電話機１と同様の動作となっている。
【００３１】
この図４を参照して本発明の他の実施例による携帯電話機に対する盗撮の警告動作について説明する。尚、本発明の他の実施例は映画やコンサート、及び演劇等の著作権が発生する会場での上演等において携帯電話機による盗撮を警告する、あるいは賠償及び画像の破棄を要求する対策の動作である。
【００３２】
会場内において、携帯電話機を用いたカメラ撮影が行われると（図４のＳ１１）、上記の本発明の一実施例と同様の動作で、撮影信号が微弱電波にて発信される（図４のＳ１２）。この場合には、撮影信号に携帯電話機の携帯電話番号が付加されている。
【００３３】
会場側サーバは携帯電話機から微弱電波にて発信された撮影信号を受信すると、その撮影信号に付加された携帯電話機の携帯電話番号を無断撮影者として記録する（図４のＳ２１）。
【００３４】
その後、会場側サーバは記録した携帯電話番号を基に無断撮影の警告を通知（賠償金請求）する（図４のＳ２２，Ｓ２３）。この場合、会場側サーバから携帯電話機には撮影した画像を破棄するように警告を送ってもよい。また、携帯電話番号から判明した撮影者に、後日、上記の警告内容を含む警告状を送付してもよい。
【００３５】
上記の会場での上演等においては、携帯電話機を用いた盗撮の対策として、カメラ付き携帯電話機を持ち込ませないようにすることも可能であるが、主催者側が入場者の携帯電話機を預かる等の管理面での難しさが発生してしまう。
【００３６】
そこで、上述した本発明の一実施例による携帯電話機１内の微弱無線部１４から撮影信号を発信させ、その微弱電波を受信する検出装置を会場側サーバに準備することで、携帯電話機１を預かることなく、それを用いた盗撮が行われていることを知ることができ、その盗撮に対する対策を取ることも可能となる。
【００３７】
このように、本発明では、撮影と同時に微弱電波によって撮影信号を発信させることで、周囲の携帯電話機に誰かがカメラ撮影を行っていることを通知することができ、盗撮抑制を促すことができるという効果がある。
【００３８】
また、本発明では、微弱電波を利用することで、撮影者から広範囲ではなく、数十ｍ程度の距離の人だけに通知することによって、撮影者を特定することが容易となる。
【００３９】
【発明の効果】
以上説明したように本発明は、上記のような構成及び動作とすることで、折畳み型に限定されることなく、カメラ撮影を行っていることを周囲に通知することができ、盗撮等を防止することができるという効果が得られる。
【図面の簡単な説明】
【図１】本発明の一実施例による携帯電話機の構成を示すブロック図である。
【図２】本発明の一実施例による携帯電話機の外観図である。
【図３】図１の制御部の動作を示すフローチャートである。
【図４】本発明の他の実施例による携帯電話機に対する盗撮の警告動作を示すシーケンスチャートである。
【符号の説明】
１  携帯電話機
１０  筐体
１１  通常のアンテナ
１２  微弱電波用のアンテナ
１３  通常の無線部
１４  微弱電波用の無線部
１５  制御部
１６  バイブ部
１７  操作部
１８  カメラ部
１９  メモリ部
２０  表示部
２１  記録媒体
【図１】
2004363838.tif 000003
【図２】
2004363838.tif 000004
【図３】
2004363838.tif 000005
【図４】
2004363838.tif 000006